(57)【特許請求の範囲】
【請求項１】
搬送されるシートが積載される載置面を備えるシート積載装置であって、
前記載置面の一部を構成する第１受け面を有する第１トレイと、
前記第１受け面とともに前記載置面の一部を構成する第２受け面を有する平板形状であり、前記第１トレイの上方で前記第２受け面を下方に向ける収容位置から、搬送される前記シートの幅方向と平行な揺動軸心周りに揺動して、前記第１受け面に対して前記搬送方向の上流側で前記第２受け面を上方に向ける使用位置に変位可能とされ、前記幅方向に延びるスライド溝を有する第２トレイと、
前記第１受け面上に設けられ、前記シートを前記幅方向で規制する第１ガイドと、
前記第２受け面上に設けられ、前記スライド溝に沿って前記幅方向にスライドして、前記シートを前記幅方向で規制する第２ガイドと、
前記第２ガイドに設けられ、前記第２受け面に直交する突出方向に突出した第１突出部と、
前記第１ガイド及び前記第２ガイドの前記揺動軸心周りの相対変位を許容し、かつ前記第１ガイドを前記第２ガイドと一体的に前記幅方向にスライドさせるように、前記第１ガイドと前記第２ガイドとを連結する連結部とを備え、
前記第２トレイが前記収容位置にある場合、前記第１トレイ及び前記第２トレイにおける前記揺動軸心側の端縁同士が離間してなる開口が形成され、
前記連結部は、前記使用位置にある前記第２トレイの前記第２受け面に対して、前記第１突出部よりも前記突出方向の高さが小さく、
前記第２トレイが前記収容位置にある場合、前記第１ガイドにおける前記連結部側から前記搬送方向の下流側に延びる上端面と、前記第２ガイドにおける前記第１突出部から前記連結部に向かう傾斜面とが平行であることを特徴とするシート積載装置。
【請求項２】
前記第１突出部は、前記第２トレイに設けられた前記スライド溝から前記突出方向に突出している請求項１記載のシート積載装置。
【請求項３】
前記第１ガイドにおける前記搬送方向の下流側には、前記第１受け面に直交する方向に突出する第２突出部が形成されている請求項１又は２記載のシート積載装置。
【請求項４】
搬送されるシートが積載される載置面を備えるシート積載装置であって、
前記載置面の一部を構成する第１受け面を有する第１トレイと、
前記第１受け面とともに前記載置面の一部を構成する第２受け面を有する平板形状であり、前記第１トレイの上方で前記第２受け面を下方に向ける収容位置から、搬送される前記シートの幅方向と平行な揺動軸心周りに揺動して、前記第１受け面に対して前記搬送方向の上流側で前記第２受け面を上方に向ける使用位置に変位可能とされ、前記幅方向に延びるスライド溝を有する第２トレイと、
前記第１受け面上に設けられ、前記シートを前記幅方向で規制する第１ガイドと、
前記第２受け面上に設けられ、前記スライド溝に沿って前記幅方向にスライドして、前記シートを前記幅方向で規制する第２ガイドと、
前記第２ガイドに設けられ、前記第２受け面に直交する突出方向に突出した第１突出部と、
前記第１ガイド及び前記第２ガイドの前記揺動軸心周りの相対変位を許容し、かつ前記第１ガイドを前記第２ガイドと一体的に前記幅方向にスライドさせるように、前記第１ガイドと前記第２ガイドとを連結する連結部とを備え、
前記第２トレイが前記収容位置にある場合、前記第１トレイ及び前記第２トレイにおける前記揺動軸心側の端縁同士が離間してなる開口が形成され、
前記連結部は、前記使用位置にある前記第２トレイの前記第２受け面に対して、前記第１突出部よりも前記突出方向の高さが小さく、
前記第１ガイドにおける前記搬送方向の下流側には、前記第１受け面に直交する方向に突出する第２突出部が形成され、
前記第１トレイの上方に位置する上部カバーを備え、
前記上部カバーは、前記第１受け面と対向し、前記第２トレイが前記使用位置にある場合に、搬送される前記シートを上方から案内可能な第３ガイドを有し、
前記幅方向から見た場合、前記第２突出部と前記第３ガイドとが重なっていることを特徴とするシート積載装置。
【請求項５】
前記第１トレイの上方に位置する上部カバーを備え、
前記使用位置にある前記第２トレイを前記幅方向から見た場合、前記第１突出部は、前記上部カバー及び前記載置面から露出している請求項１乃至４のいずれか１項記載のシート積載装置。
【請求項６】
前記使用位置にある前記第２トレイを前記幅方向から見た場合、前記第１突出部は、前記上部カバー及び前記載置面から露出している請求項５記載のシート積載装置。
【請求項７】
前記第２ガイドは、前記第１突出部から前記搬送方向の下流側に向かって二股で延びる二股部を有し、
前記第１ガイドは、前記搬送方向の上流側で前記二股部内に入り込む内挿部を有し、
前記連結部は、前記二股部と前記内挿部とを含んで構成されている請求項１乃至６のいずれか１項記載のシート積載装置。
【請求項８】
前記第１ガイドは、前記内挿部に対して搬送方向の下流側に位置して、前記シートを前記幅方向で規制する規制部と、前記内挿部と前記規制部とを接続する接続部とを有し、
前記接続部は、前記第１受け面に対向する方向から見た場合、Ｒ形状を有してクランク状に折れ曲がっている請求項７記載のシート積載装置。
【請求項９】
前記第２トレイの前記揺動に連動して変位する開口カバーを備え、
前記開口カバーは、前記第２トレイが前記収容位置にある場合には前記開口を覆う一方、前記第２トレイが前記使用位置にある場合には、前記第２トレイの下方に退避するように構成されている請求項１乃至８のいずれか１項記載のシート積載装置。
【発明の詳細な説明】
【技術分野】
【０００１】
本発明はシート積載装置に関するものである。
【背景技術】
【０００２】
特許文献１にシート積載装置が開示されている。このシート積載装置は、搬送されるシートが積載される載置面を備える。特許文献１に開示されたシート積載装置は、第１受け面を有する第１トレイと、第２受け面を有する平板形状であり、幅方向に延びるスライド溝を有する第２トレイとを備える。第２トレイは、第１トレイの上方で第２受け面を下方に向ける収容位置から、搬送されるシートの幅方向と平行な揺動軸心周りに揺動して、第１受け面に対して搬送方向の上流側で第２受け面を上方に向ける使用位置に変位する。第２トレイが使用位置に位置する場合の変位により、第１受け面と第２受け面とが載置面の一部を構成するようになっている。
【０００３】
また、このシート積載装置は、第１受け面上に設けられ、シートを幅方向で規制する第１ガイドを備える。このシート積載装置は、第２受け面上に設けられ、スライド溝に沿って幅方向にスライドして、シートを幅方向で規制する第２ガイドを備える。このシート積載装置は、第１ガイドと第２ガイドとを連結する連結部を備える。特許文献１の図面には、第１ガイドが符号４２ａとして図示され、第２ガイドが符号４２ｂとして図示され、連結部が符号４４として図示されている。
【０００４】
連結部は、第１ガイド及び第２ガイドの揺動軸心周りの相対変位を許容し、かつ第１ガイドを第２ガイドと一体的に幅方向にスライドさせるように構成されている。
【先行技術文献】
【特許文献】
【０００５】
【特許文献１】特開２０１０−６２８３９号公報
【発明の概要】
【発明が解決しようとする課題】
【０００６】
ところで、上記シート積載装置では、特許文献１の図５及び図６等に示されているように、連結部における、使用位置にある第２トレイの第２受け面に直交する方向の高さが第１ガイド及び第２ガイドにおけるこの方向の高さよりも大きい。このため、第２トレイが特許文献１の図４に示す収容位置にある場合に、第１トレイ及び第２トレイにおける揺動軸心側の端縁同士が離間してなる開口が大きくなり易く、ひいては、装置を小型化し難い。
【０００７】
本発明は、上記実情に鑑みてなされたものであって、装置の小型化を実現できるシート積載装置を提供することを目的とする。
【課題を解決するための手段】
【０００８】
本発明のシート積載装置は、搬送されるシートが積載される載置面を備えるシート積載装置であって、
前記載置面の一部を構成する第１受け面を有する第１トレイと、
前記第１受け面とともに前記載置面の一部を構成する第２受け面を有する平板形状であり、前記第１トレイの上方で前記第２受け面を下方に向ける収容位置から、搬送される前記シートの幅方向と平行な揺動軸心周りに揺動して、前記第１受け面に対して前記搬送方向の上流側で前記第２受け面を上方に向ける使用位置に変位可能とされ、前記幅方向に延びるスライド溝を有する第２トレイと、
前記第１受け面上に設けられ、前記シートを前記幅方向で規制する第１ガイドと、
前記第２受け面上に設けられ、前記スライド溝に沿って前記幅方向にスライドして、前記シートを前記幅方向で規制する第２ガイドと、
前記第２ガイドに設けられ、前記第２受け面に直交する突出方向に突出した第１突出部と、
前記第１ガイド及び前記第２ガイドの前記揺動軸心周りの相対変位を許容し、かつ前記第１ガイドを前記第２ガイドと一体的に前記幅方向にスライドさせるように、前記第１ガイドと前記第２ガイドとを連結する連結部とを備え、
前記第２トレイが前記収容位置にある場合、前記第１トレイ及び前記第２トレイにおける前記揺動軸心側の端縁同士が離間してなる開口が形成され、
前記連結部は、前記使用位置にある前記第２トレイの前記第２受け面に対して、前記第１突出部よりも前記突出方向の高さが小さく、
前記第２トレイが前記収容位置にある場合、前記第１ガイドにおける前記連結部側から前記搬送方向の下流側に延びる上端面と、前記第２ガイドにおける前記第１突出部から前記連結部に向かう傾斜面とが平行であることを特徴とするシート積載装置。
【０００９】
本発明のシート積載装置では、連結部は、使用位置にある第２トレイの第２受け面に対して、第１突出部よりも突出方向の高さが小さいので、上記シート積載装置と比較して、開口を小さくできる。
【００１０】
したがって、本発明のシート積載装置は、装置の小型化を実現できる。
【００１１】
本発明のシート積載装置において、第１突出部は、第２トレイに設けられたスライド溝から突出方向に突出していることが望ましい。この構成によれば、第１突出部をつまんで第２ガイドをスライド溝に沿って幅方向にスライドさせる際、第２ガイドをスライド溝に対してこじる力が作用し難いので、第２ガイドをスムーズにスライドさせることができる。
【００１２】
本発明のシート積載装置において、第２トレイが収容位置にある場合、第１ガイドにおける連結部側から搬送方向の下流側に延びる上端面と、第２ガイドにおける第１突出部から連結部に向かう傾斜面とが平行である。この構成によれば、第１ガイド及び第２ガイドの形状が合うことにより双方が接近できるので、開口を確実に小さくできる。その結果、装置の小型化を確実に実現できる。
【００１３】
本発明のシート積載装置において、第１ガイドにおける搬送方向の下流側には、第１受け面に直交する方向に突出する第２突出部が形成されていることが望ましい。この構成によれば、コシがあるシートが搬送される場合において、シートの後端縁側が跳ね上がったとしても、第２突出部により、シートの後端縁側が第１ガイドから外れることを防止できる。
【００１４】
本発明のシート積載装置は、第１トレイの上方に位置する上部カバーを備える。そして、上部カバーは、第１受け面と対向し、第２トレイが使用位置にある場合に、搬送されるシートを上方から案内可能な第３ガイドを有し、幅方向から見た場合、第２突出部と第３ガイドとが重なっている。この構成によれば、コシがあるシートが搬送される場合において、シートの後端縁側が跳ね上がったとしても、第２突出部と第３ガイドとにより、シートの後端縁側が第１ガイドから外れることを確実に防止できる。
【００１５】
本発明のシート積載装置は、第１トレイの上方に位置する上部カバーを備えることが望ましい。そして、使用位置にある第２トレイを幅方向から見た場合、第１突出部は、上部カバー及び載置面から露出していることが望ましい。この構成によれば、第２ガイドが幅方向の最も外側に位置していても、第１突出部をつまみ易い。
【００１６】
本発明のシート積載装置において、第２ガイドは、第１突出部から搬送方向の下流側に向かって二股で延びる二股部を有することが望ましい。また、第１ガイドは、搬送方向の上流側で二股部内に入り込む内挿部を有ることが望ましい。そして、連結部は、二股部と内挿部とを含んで構成されていることが望ましい。この構成によれば、第２ガイドのスライドが二股部に挟まれた内挿部を介して、第１ガイドに伝達されるので、第１ガイドを第２ガイドと一体的に幅方向にスライドさせることができる。
【００１７】
本発明のシート積載装置において、第１ガイドは、内挿部に対して搬送方向の下流側に位置して、シートを幅方向で規制する規制部と、内挿部と規制部とを接続する接続部とを有することが望ましい。そして、接続部は、第１受け面に対向する方向から見た場合、Ｒ形状を有してクランク状に折れ曲がっていることが望ましい。この構成によれば、Ｒ形状を有してクランク状に折れ曲がっている接続部により、搬送されるシートに対して、第１ガイドが引っ掛かりなく幅方向の位置決めをできる。
【００１８】
本発明のシート積載装置は、第２トレイの揺動に連動して変位する開口カバーを備えることが望ましい。そして、開口カバーは、第２トレイが収容位置にある場合には開口を覆う一方、第２トレイが使用位置にある場合には、第２トレイの下方に退避するように構成されていることが望ましい。この構成によれば、不使用時に開口カバーが開口を覆うことにより、装置内部への埃の進入を防止できる。また、開口を小さくできるため、開口を覆う開口カバーも小さくすることができる。
【図面の簡単な説明】
【００１９】
【図１】本発明の一実施例の画像読取装置１の前方を主に示す斜視図である。
【図２】上記実施例の画像読取装置１の第２トレイ２００が収容位置にある場合において、画像読取装置１の後方を主に示す斜視図である。
【図３】上記実施例の画像読取装置１の上部カバー３００が開かれた状態において、画像読取装置１の主に前方を示す斜視図である。
【図４】上記実施例の画像読取装置１の側面図である。
【図５】上記実施例の画像読取装置１に係り、図４の矢視Ｚ方向から見た第１トレイ１００、第２トレイ２００、第１ガイド１１０Ｌ、１１０Ｒ及び第２ガイド２１０Ｌ、２１０Ｒ等を示す要部拡大図である。
【図６】上記実施例の画像読取装置１に係り、図５のＡ−Ａ断面を示す要部拡大断面図である。
【図７】上記実施例の画像読取装置１に係り、第２トレイ２００が収容位置にある場合における図５のＡ−Ａ断面と同様の断面を示す要部拡大断面図である。
【図８】上記実施例の画像読取装置１に係り、第１ガイド１１０Ｌ、１１０Ｒ及び第２ガイド２１０Ｌ、２１０Ｒ等を示す要部拡大斜視図である。
【図９】上記実施例の画像読取装置１に係り、図５のＢ−Ｂ断面を示す要部拡大断面図である。
【発明を実施するための形態】
【００２０】
以下、本発明を具体化した実施例を図面を参照しつつ説明する。
【００２１】
（実施例）
図１に示すように、本実施例の画像読取装置１は、本発明のシート積載装置の具体的態様の一例である。図１では、排出トレイ６側を装置の前側と規定し、排出トレイ６に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２２】
＜全体構成＞
図１〜図４に示すように、画像読取装置１は、ハウジング８と、第１トレイ１００と、第２トレイ２００と、画像読取部７と、排出トレイ６とを備える。
【００２３】
ハウジング８は、外装カバー、上部カバー３００、及び図３に示す内部フレーム８Ｆ等が組み合わされてなる箱状体である。ハウジング８は、本発明の「装置本体」の一例である。図１、図２及び図４に示すように、通常、ハウジング８の上部カバー３００は、後方に向かって上り傾斜している。その一方、図３に示すように、シート詰まりやメンテナンスの際には、上部カバー３００は、後端縁側が上方に持ち上がるように揺動する。これにより、ハウジング８を構成する内部フレーム８Ｆの上壁８Ｃや供給ローラ７Ａ等が露出する。
【００２４】
図３及び図４に示すように、第１トレイ１００は、内部フレーム８Ｆの上壁８Ｃのうち、ハウジング８の背面側から供給ローラ７Ａまで下り傾斜で延びる平板部である。すなわち、第１トレイ１００は、内部フレーム８Ｆの上壁８Ｃに一体に形成されている。第１トレイ１００の上方を向く傾斜面は、第１受け面１０１とされている。
【００２５】
第２トレイ２００は、一方の面が第２受け面２０１とされた平板形状であり、その左右の角部に一対のヒンジ部２００Ｌ、２００Ｒが一体に形成されている。第２トレイ２００は、両ヒンジ部２００Ｌ、２００Ｒを介して、ハウジング８の後方かつ上方に位置して左右方向に延びる揺動軸心Ｘ１周りに揺動可能にハウジング８に支持されている。
【００２６】
図１及び図２に示すように、画像読取装置１の不使用時、第２トレイ２００は、第２受け面２０１を下方に向けて、ハウジング８に対して上方から覆いかぶさっている。図１及び図２に示す第２トレイ２００の位置は、本発明の「収容位置」の一例である。
【００２７】
そして、画像読取装置１の使用時、ユーザの第２トレイ２００に対する開操作により、第２トレイ２００は、図１及び図２に示す状態から揺動軸心Ｘ１周りに揺動する。この揺動により、第２トレイ２００は、図３及び図４に示すように、第１受け面１０１の後ろ側で第２受け面２０１を上方に向ける位置に変位する。図３及び図４に示す第２トレイ２００の位置は、本発明の「使用位置」の一例である。これにより、第１受け面１０１と第２受け面２０１とは、おおよそ平坦な面である載置面５を構成する。この際、図５及び図６に示すように、第１トレイ１００における揺動軸心Ｘ１側の端縁１００Ｅと、第２トレイ２００における揺動軸心Ｘ１側の端縁２００Ｅとが互いに接近し、隙間なく当接し、第１トレイ１００の位置を決める。図４に示すように、載置面５には、シート９が載置される。
【００２８】
画像読取部７は、周知の構成を備えるものであるので説明を簡略するが、図３に示すように、ハウジング８内において、内部フレーム８Ｆ等に組み付けられている。画像読取部７は、供給ローラ７Ａ、分離パッド７Ｂ、画像読取センサ７Ｃ及び図示しない排出ローラ等を備える。画像読取部７は、載置面５に載置されたシート９を前方に向けて下り傾斜で延びる搬送経路Ｐ１に沿って搬送する。画像読取部７は、その搬送経路Ｐ１の途中において、画像読取センサ７Ｃにより、シート９の画像を読み取るようになっている。画像読取センサ７Ｃとしては、例えば、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等が採用される。画像読取部７が搬送経路Ｐ１を挟んで対向する一対の画像読取センサを有する場合は、シート９の両面の画像読取が可能である。
【００２９】
排出トレイ６は、図１及び図４に示すように、ハウジング８に対して引き出し及び収容可能に設けられている。図１に示すように、排出トレイ６がハウジング８に収容されている状態では、排出トレイ６の前端面のみが外部に露出した状態となっている。そして、ユーザにより、排出トレイ６がハウジング８から引き出されると、図４に示すように、排出トレイ６は、ハウジング８の前方で排出面６Ａを上方に向けた状態となる。
【００３０】
画像読取部７が画像を読み取ったシート９をさらに搬送経路Ｐ１に沿って搬送すると、そのシート９は、排出面６Ａに排出される。載置面５に複数枚のシート９が載置された場合には、１枚ずつシート９が搬送経路Ｐ１に沿って搬送されて、画像を読み取られた後、排出面６Ａに順番に積み重なるように排出される。
【００３１】
なお、図２及び図７に示すように、第２トレイ２００が使用位置から収容位置に変位すると、第１トレイ１００における揺動軸心Ｘ１側の端縁１００Ｅと、第２トレイ２００における揺動軸心Ｘ１側の端縁２００Ｅとが上下方向に離間してなる開口９９が形成される。
【００３２】
図２に示すように、画像読取装置１は、第２トレイ２００が収容位置にある場合に開口９９を覆う開口カバー９０を備える。説明は簡略するが、開口カバー９０は、第２トレイ２００が使用位置まで揺動するのに連動して変位し、図３及び図４に示すように、第２トレイ２００の下方に退避するようになっている。なお、図６及び図７では、第２トレイ２００の下方に退避した開口カバー９０の図示を省略している。
【００３３】
本実施例では、図３に示すように、搬送方向Ｄ１に沿って搬送されるシート９の幅方向とは、左右方向である。揺動軸心Ｘ１は、シート９の幅方向である左右方向と平行である。ただし、「平行」とは「おおよそ平行」を意味する。「直交」等の用語も同様である。また、図５に示すように、本実施例において、「幅方向の内側」とは、画像読取装置１の機軸である中心軸線Ｃ１に対して左右方向に近い側であり、「幅方向の外側」とは、中心軸線Ｃ１に対して左右方向に離れる側である。
【００３４】
＜載置面に載置されるシートの幅方向の位置決め構成＞
また、画像読取装置１は、図５〜図９を示して詳述するように、第１ガイド１１０Ｌ、１１０Ｒと、第２ガイド２１０Ｌ、２１０Ｒと、第１突出部２２０Ｌ、２２０Ｒと、連結部８０Ｌ、８０Ｒと、第２突出部１２０Ｌ、１２０Ｒと、第３ガイド３１０とを備える。画像読取装置１は、これらによって載置面５に載置されるシート９の幅方向の位置決めをすることで、例えば、名刺サイズからＡ４サイズまでの複数サイズのシートに形成された画像を読み取ることができる。
【００３５】
なお、左側に位置する第１ガイド１１０Ｌ、第２ガイド２１０Ｌ、第１突出部２２０Ｌ、連結部８０Ｌ及び第２突出部１２０Ｌと、右側に位置する第１ガイド１１０Ｒ、第２ガイド２１０Ｒ、第１突出部２２０Ｒ、連結部８０Ｒ及び第２突出部１２０Ｒとは、図５に示すように、中心軸線Ｃ１を対象軸とする線対称である。このため、図６〜図９では、左側のものだけを図示して、右側のものについては図示を省略する。
【００３６】
第１ガイド１１０Ｌ、１１０Ｒは、図５〜図８に示すように、第１トレイ１００の第１受け面１０１上に設けられている。図８に示すように、第１トレイ１００には、幅方向に延びるスライド溝１９０が形成されている。第１ガイド１１０Ｌ、１１０Ｒはそれぞれ、図５などに示す第１受け面１０１と平行な薄板形状の基部１１０Ｂと、図６及び図７などに示す基部１１０Ｂから下方のスライド溝１９０内に突出する凸部１１０Ｃとを有する。凸部１１０Ｃがスライド溝１９０に沿って摺動し、基部１１０Ｂが第１受け面１０１に沿って摺動することにより、第１ガイド１１０Ｌ、１１０Ｒが幅方向にスライドする。なお、スライド溝とは、ガイドを幅方向にスライドさせるために、トレイに設けられた溝、穴、孔、開口、及び切り欠きなどを示す。即ち、スライド溝の形状、及び構造は、ガイドを幅方向にスライドできるものであれば、本実施形態に係るスライド溝１９０以外の形状、及び構造であってもよい。後述するスライド溝２９０についても同様である。
【００３７】
また、第１ガイド１１０Ｌ、１１０Ｒはそれぞれ、図５及び図８に示すように、基部１１０Ｂから第１受け面１０１に直交する方向に突出する内挿部１３０Ｌ、１３０Ｒ、接続部１３３Ｌ、１３３Ｒ及び規制部１３６Ｌ、１３６Ｒを有する。内挿部１３０Ｌ、１３０Ｒはそれぞれ、第１ガイド１１０Ｌ、１１０Ｒにおける搬送方向Ｄ１の上流側の位置であって、揺動軸心Ｘ１と交差する位置から搬送方向Ｄ１の下流側に向かって衝立状に延びている。接続部１３３Ｌ、１３３Ｒはそれぞれ、内挿部１３０Ｌ、１３０Ｒに連続して、搬送方向Ｄ１の下流側に向かって衝立状に延びている。規制部１３６Ｌ、１３６Ｒはそれぞれ、接続部１３３Ｌ、１３３Ｒに連続して、搬送方向Ｄ１の下流側に向かって衝立状に延びている。
【００３８】
図５に示すように、接続部１３３Ｌ、１３３Ｒは、第１受け面１０１に対向する方向から見た場合、Ｒ形状を有してクランク状に折れ曲がっている。これにより、規制部１３６Ｌ、１３６Ｒはそれぞれ、内挿部１３０Ｌ、１３０Ｒに対して幅方向の内側に位置している。
【００３９】
一方、第２ガイド２１０Ｌ、２１０Ｒは、図５〜図８に示すように、第２トレイ２００の第２受け面２０１上に設けられている。図８に示すように、第２トレイ２００には、幅方向に延びるスライド溝２９０が形成されている。第２ガイド２１０Ｌ、２１０Ｒはそれぞれ、第２受け面２０１と平行な薄板形状の基部２１０Ｂと、基部２１０Ｂから下方のスライド溝２９０内に突出する凸部２１０Ｃとを有する。凸部２１０Ｃがスライド溝２９０に沿って摺動し、基部２１０Ｂが第２受け面２０１に沿って摺動することにより、第２ガイド２１０Ｌ、２１０Ｒが幅方向にスライドする。
【００４０】
図５に示すように、左側の第２ガイド２１０Ｌは、第２受け面２０１の下方に位置して、幅方向の内側に向かってスライド溝２９０と平行に延びるラック２１０Ｍを有する。右側の第２ガイド２１０Ｒは、第２受け面２０１の下方に位置して、幅方向の内側に向かってスライド溝２９０と平行に延びるラック２１０Ｎを有する。ラック２１０Ｍとラック２１０Ｎとは、第２受け面２０１の下方において中心軸線Ｃ１上に位置するピニオンギヤ２１０Ｐと噛み合っている。
【００４１】
この構成により、第２ガイド２１０Ｌ、２１０Ｒの一方が幅方向の外側又は内側にスライドすると、その変位がラック２１０Ｍ、ピニオンギヤ２１０Ｐ及びラック２１０Ｎを介して、第２ガイド２１０Ｌ、２１０Ｒの他方に伝達される。この伝達により、第２ガイド２１０Ｌ、２１０Ｒの他方も、幅方向の外側又は内側に連動してスライドする。その結果、第２ガイド２１０Ｌ、２１０Ｒのそれぞれと中心軸線Ｃ１との距離は常に等しくなる。
【００４２】
また、第２ガイド２１０Ｌ、２１０Ｒはそれぞれ、図６に示すように、基部１１０Ｂから第２受け面２０１に直交する突出方向Ｄ２に突出する第１突出部２２０Ｌ、２２０Ｒ及び二股部２３０Ｌ、２３０Ｒを有する。
【００４３】
第１突出部２２０Ｌ、２２０Ｒは、第２トレイ２００に設けられたスライド溝２９０から、突出している。ここで、本実施例において、「スライド溝２９０から突出する」という表現は「スライド溝２９０の近傍から突出する」の意味である。「スライド溝２９０の近傍」とは例えば、少なくともスライド溝２９０における突出方向Ｄ２の上方を含む範囲を指している。
【００４４】
図４に示すように、使用位置にある第２トレイ２００を幅方向から見た場合、第１突出部２２０Ｌ、２２０Ｒは、上部カバー３００及び載置面５から露出している。これにより、第２ガイド２１０Ｌ、２１０Ｒが幅方向の最も外側に位置していても、第１突出部２２０Ｌ、２２０Ｒをつまみ易くなっている。そして、ユーザが第１突出部２２０Ｌ、２２０Ｒの一方をつまんで幅方向の内側又は外側に向けて力をかけると、第２ガイド２１０Ｌ、２１０Ｒを幅方向の内側又は外側に連動してスライドさせることができる。
【００４５】
図５及び図８に示すように、二股部２３０Ｌ、２３０Ｒはそれぞれ、第１突出部２２０Ｌ、２２０Ｒから搬送方向Ｄ１の下流側に向かって二股で延びている。図８に示すように、二股部２３０Ｌ、２３０Ｒにはそれぞれ、揺動軸心Ｘ１を中心軸とする丸穴２３０Ａが貫設されている。
【００４６】
図５及び図８に示すように、二股部２３０Ｌ、２３０Ｒ内には、上述した内挿部１３０Ｌ、１３０Ｒが入り込んでいる。図８に示すように、内挿部１３０Ｌ、１３０Ｒには、揺動軸心Ｘ１を中心軸として、二股部２３０Ｌ、２３０Ｒの丸穴２３０Ａに挿通する軸部１３０Ａが形成されている。
【００４７】
このような構成である二股部２３０Ｌ、２３０Ｒと内挿部１３０Ｌ、１３０Ｒとを含んで、連結部８０Ｌ、８０Ｒが構成されている。これにより、連結部８０Ｌ、８０Ｒは、図６及び図８に示す状態と、図７に示す状態との間で、第１ガイド１１０Ｌ、１１０Ｒ及び第２ガイド２１０Ｌ、２１０Ｒの揺動軸心Ｘ１周りの相対変位を許容する。また、連結部８０Ｌ、８０Ｒは、第２ガイド２１０Ｌ、２１０Ｒが幅方向にスライドする際、二股部２３０Ｌ、２３０Ｒに挟まれた内挿部１３０Ｌ、１３０Ｒを介して、第１ガイド１１０Ｌ、１１０Ｒにその変位を伝達できる。したがって、第１ガイド１１０Ｌ、１１０Ｒを第２ガイド２１０Ｌ、２１０Ｒと一体的に幅方向にスライドさせることができる。
【００４８】
図５に示すように、第１突出部２２０Ｌ、２２０Ｒにおける幅方向の内側を向く側面と、二股部２３０Ｌ、２３０Ｒにおける幅方向の内側を向く側面と、規制部１３６Ｌ、１３６Ｒにおける幅方向の内側を向く側面とは、中心軸線Ｃ１からの距離が等しくなっている。すなわち、第１突出部２２０Ｌ、２２０Ｒにおける幅方向の内側を向く側面と、二股部２３０Ｌ、２３０Ｒにおける幅方向の内側を向く側面と、規制部１３６Ｌ、１３６Ｒにおける幅方向の内側を向く側面とは、搬送方向Ｄ１に対し平行に一直線に並んでいる。この構成により、第１突出部２２０Ｌ、２２０Ｒ、二股部２３０Ｌ、２３０Ｒ及び規制部１３６Ｌ、１３６Ｒは、シート９を幅方向で規制することができる。この際、接続部１３３Ｌ、１３３ＲがＲ形状を有してクランク状に折れ曲がっていることにより、搬送されるシート９に対して、第１ガイド１１０Ｌ、１１０Ｒが引っ掛かりなく幅方向の位置決めをできる。
【００４９】
図６に示すように、第２トレイ２００が使用位置にある場合において、第２受け面２０１に対する連結部８０Ｌ、８０Ｒの突出方向Ｄ２の高さをＨ１とする。また、第２受け面２０１に対する第１突出部２２０Ｌ、２２０Ｒの突出方向Ｄ２の高さをＨ２とする。そうすると、連結部８０Ｌ、８０Ｒの突出方向Ｄ２の高さＨ１は、第１突出部２２０Ｌ、２２０Ｒの突出方向Ｄ２の高さＨ２より小さくされている。
【００５０】
また、図６に示すように、第２トレイ２００が使用位置にある場合において、第１ガイド１１０Ｌ、１１０Ｒにおける連結部８０Ｌ、８０Ｒ側から搬送方向Ｄ１の下流側に延びる上端面を上端面１１０Ｔとする。また、第２ガイド２１０Ｌ、２１０Ｒにおける第１突出部２２０Ｌ、２２０Ｒから連結部８０Ｌ、８０Ｒに向かう傾斜面を傾斜面２１０Ｓとする。そうすると、図７にように、第２トレイ２００が収容位置に変位した場合、上端面１１０Ｔと傾斜面２１０Ｓとが平行となり、僅かな隙間を有して互いに接近した状態となる。
【００５１】
図６及び図８に示すように、第１ガイド１１０Ｌ、１１０Ｒにおける搬送方向Ｄ１の下流側には、規制部１３６Ｌ、１３６Ｒからそれぞれ第１受け面１０１に直交する方向に突出する第２突出部１２０Ｌ、１２０Ｒが形成されている。第２突出部１２０Ｌ、１２０Ｒは、幅方向から見た場合に三角形状とされており、その頂点が第１受け面１０１の上方に位置する上部カバー３００の下面に接近するように突出している。
【００５２】
図４及び図９に示すように、上部カバー３００は、供給ローラ７Ａの上方に位置して、第１受け面１０１と対向する第３ガイド３１０を有する。第３ガイド３１０は、金属薄板からなる板バネであり、供給ローラ７Ａに接近しながら搬送方向Ｄ１の下流側に向けて傾斜している。これにより、第３ガイド３１０は、載置面５から搬送されるシート９が供給ローラ７Ａから離間することを抑制する。
【００５３】
図５に、第１受け面１０１に対して上方に位置する第３ガイド３１０を二点鎖線で示す。第２突出部１２０Ｌ、１２０Ｒは、幅方向の外側から第３ガイド３１０を挟むように位置している。そして、図９に示すように、幅方向から見た場合、第２突出部１２０Ｌ、１２０Ｒと第３ガイド３１０とが重なっている。
【００５４】
＜作用効果＞
実施例の画像読取装置１では、図６に示すように、第２トレイ２００が使用位置にある場合において、連結部８０Ｌ、８０Ｒの突出方向Ｄ２の高さＨ１は、第１突出部２２０Ｌ、２２０Ｒの突出方向Ｄ２の高さＨ２より小さい。このため、上記特許文献１に記載の装置と比較して、図７に示すように、第２トレイ２００が収容位置にある場合に形成される開口９９を小さくできる。すなわち、第１トレイ１００及び第２トレイ２００における揺動軸心Ｘ１側の端縁１００Ｅ、２００Ｅ同士の離間距離Ｗを小さくできる。
【００５５】
したがって、実施例の画像読取装置１は、装置の小型化を実現できる。
【００５６】
また、この画像読取装置１によれば、図６及び図８に示すように、第１突出部２２０Ｌ、２２０Ｒが第２トレイ２００に設けられたスライド溝２９０から突出方向Ｄ２に突出している。これにより、第１突出部２２０Ｌ、２２０Ｒをつまんで第２ガイド２１０Ｌ、２１０Ｒをスライド溝２９０に沿って幅方向にスライドさせる際、第２ガイド２１０Ｌ、２１０Ｒをスライド溝２９０に対してこじる力が作用し難い。その結果、第２ガイド２１０Ｌ、２１０Ｒをスムーズにスライドさせることができる。
【００５７】
さらに、この画像読取装置１によれば、図７に示すように、第２トレイ２００が収容位置にある場合に第１ガイド１１０Ｌ、１１０Ｒの上端面１１０Ｔと、第２ガイド２１０Ｌ、２１０Ｒの傾斜面２１０Ｓとが平行となる。すなわち、第１ガイド１１０Ｌ、１１０Ｒ及び第２ガイド２１０Ｌ、２１０Ｒの形状が合うことにより、第１ガイド１１０Ｌ、１１０Ｒ及び第２ガイド２１０Ｌ、２１０Ｒが互いに接近できる。したがって、開口９９を確実に小さくできる。その結果、装置の小型化を確実に実現できる。
【００５８】
また、この画像読取装置１によれば、幅方向から見た場合に互いに重なる第２突出部１２０Ｌ、１２０Ｒと第３ガイド３１０とを備える。したがって、図９に示すように、コシがあるシート９が搬送される場合において、シート９の後端縁側が跳ね上がったとしても、シート９の後端縁側が第１ガイド１１０Ｌ、１１０Ｒから外れることを確実に防止できる。
【００５９】
また、この画像読取装置１によれば、不使用時に開口カバー９０が開口９９を覆うことにより、ハウジング８の内部への埃の進入を防止できる。また、開口９９を小さくすることができるため、開口カバー９０を小さくすることができる。また、第２トレイ２００の揺動時、開口９９に指が挟まれ難い。
【００６０】
以上において、本発明を実施例に即して説明したが、本発明は上記実施例に制限されるものではなく、その趣旨を逸脱しない範囲で適宜変更して適用できることはいうまでもない。
【００６１】
例えば、実施例では、ハウジング８を構成するフレーム部材８Ｆに第１トレイ１００が形成されているが、この構成に限定されず、第１トレイ１００は、ハウジング８とは別体に設けられていてもよい。
【００６２】
また、第１ガイド１１０Ｌ、１１０Ｒが必ずしも第１トレイ１００だけに設けられている必要はなく、例えば、第１ガイド１１０Ｌ、１１０Ｒが第２トレイ２００に少しはみだしていてもよい。
【００６３】
同様に、第２ガイド２１０Ｌ、２１０Ｒが必ずしも第２トレイ２００だけに設けられている必要はなく、例えば、第２ガイド２１０Ｌ、２１０Ｒが第１トレイ１００に少しはみだしていてもよい。
【００６４】
また、実施例における連結部８０Ｌ、８０Ｒは、二股部２３０Ｌ、２３０Ｒの丸穴２３０Ａに、内挿部１３０Ｌ、１３０Ｒの軸部１３０Ａが挿通することにより、ヒンジを構成していたが、この構成に限定されない。例えば、連結部は、二股部２３０Ｌ、２３０Ｒに丸穴２３０Ａを設けず、かつ、内挿部１３０Ｌ、１３０Ｒにも軸部１３０Ａを設けない構成、すなわち、二股部２３０Ｌ、２３０Ｒが内挿部１３０Ｌ、１３０Ｒを挟んでいるだけである構成であってもよい。
【産業上の利用可能性】
【００６５】
本発明は、例えば画像形成装置、画像読取装置又は複合機等に利用可能である。
【符号の説明】
【００６６】
１…シート積載装置（画像読取装置）、９…シート、５…載置面
１００…第１トレイ、２００…第２トレイ、Ｘ１…揺動軸心
１０１…第１受け面、２０１…第２受け面、２９０…スライド溝
１１０Ｌ、１１０Ｒ…第１ガイド、２１０Ｌ、２１０Ｒ…第２ガイド
Ｄ１…搬送方向、Ｄ２…突出方向
２２０Ｌ、２２０Ｒ…第１突出部、８０Ｌ、８０Ｒ…連結部
１００Ｅ…第１トレイにおける揺動軸心側の端縁、９９…開口
２００Ｅ…第２トレイにおける揺動軸心側の端縁、９０…開口カバー
Ｈ１…連結部の第２受け面に対する突出方向の高さ
Ｈ２…第１突出部の第２受け面に対する突出方向の高さ
１１０Ｔ…第１ガイドの上端面、２１０Ｓ…第２ガイドの傾斜面
１２０Ｌ、１２０Ｒ…第２突出部、３００…上部カバー、３１０…第３ガイド
２３０Ｌ、２３０Ｒ…二股部、１３０Ｌ、１３０Ｒ…内挿部、１３６Ｌ、１３６Ｒ…規制部、１３３Ｌ、１３３Ｒ…接続部
【図１】
0005817356.tif 000002
【図２】
0005817356.tif 000003
【図３】
0005817356.tif 000004
【図４】
0005817356.tif 000005
【図５】
0005817356.tif 000006
【図６】
0005817356.tif 000007
【図７】
0005817356.tif 000008
【図８】
0005817356.tif 000009
【図９】
0005817356.tif 000010